(57)【特許請求の範囲】
【請求項１】
長尺な布帛を処理液によって処理する布帛処理装置において斜め上方に向けて開口する取出口から前記布帛を取り出す布帛取出装置であって、
前記取出口において該取出口から引き出される前記布帛が下側から巻き掛けられて該布帛の搬送方向を変更する第一ローラと、
互いの回転軸が平行な状態で前記第一ローラより上方に配置され且つ該第一ローラからの前記布帛が巻き掛けられる第二ローラと、を備え、
前記第一ローラは、前記第二ローラとの間に架け渡される前記布帛に沿った該第二ローラとの共通接線への接点の真下への投影位置が前記取出口の内側となる位置に配置され、
前記第二ローラは、前記第一ローラとの間に架け渡される前記布帛の水平面に対する角度が４５°より大きくなる位置に配置される、布帛取出装置。
【請求項２】
前記第二ローラと共に前記布帛を挟み込む第三ローラを備える、請求項１に記載の布帛取出装置。
【請求項３】
前記第二ローラ及び前記第三ローラの少なくとも一方を駆動する駆動部を備え、
前記第二ローラと前記第三ローラとは、前記布帛を挟み込んだ状態で前記駆動されることで該布帛を前記取出口から引き出す、請求項２に記載の布帛取出装置。
【発明の詳細な説明】
【技術分野】
【０００１】
本発明は、布帛を処理液によって処理する布帛処理装置において該布帛処理装置の取出口から布帛を取り出す布帛取出装置に関する。
【背景技術】
【０００２】
従来から、長尺な布帛に対して染色や洗浄等の各種処理を行うための液流式布帛処理装置が知られている（特許文献１参照）。
【０００３】
この液流式布帛処理装置では、図６に示すように、処理液Ｗ１０を貯留可能な処理槽９０１と、移送管９０２とによって循環経路が構成されている。そして、ループ状にした布帛９１０をこの循環経路内で循環させつつ処理槽９０１内に貯留された処理液Ｗ１０中を通過させることで、該布帛９１０の処理が行われる。ここで、処理液Ｗ１０は、染色液や洗浄液等の布帛を処理するための液体であり、布帛の処理内容に応じた成分を水等で希釈した液体である。
【先行技術文献】
【特許文献】
【０００４】
【特許文献１】特開２００２−１０５８４２号公報
【発明の概要】
【発明が解決しようとする課題】
【０００５】
上記の液流式布帛処理装置９００では、処理液Ｗ１０による布帛９１０の処理が終わると、処理槽９０１内の処理液Ｗ１０を水Ｗ２０に変えた状態で布帛９１０を循環させることで該布帛９１０の洗浄が行われる。そして、洗浄が終わった布帛９１０を処理槽９０１から取り出すときには、取出口９０１ａの開口方向側に配置されたローラＲ１に巻き掛けるようにして布帛９１０が処理槽９０１の取出口９０１ａから引き出され（図６の二点鎖線で示す布帛９１０参照）、この引き出された布帛９１０が布運搬用台車等に載せられて次の工程（乾燥等）の行われる場所に運ばれる。
【０００６】
この処理槽９０１の取出口９０１ａから処理等が終わった布帛９１０を引き出す作業では、布帛９１０に含まれる多量の水分（処理液Ｗ１０や水Ｗ２０等）が、取出口９０１ａから引き出されて布運搬用台車等に載せられるまでの間に布帛９１０から落下等して作業者にかかるため、作業者にとって劣悪な作業環境下での作業となる。特に、取出口９０１ａからローラＲ１までの間では多量の水分が布帛９１０から落下するため、作業者の濡れは顕著になる。
【０００７】
そこで、本発明は、布帛処理装置の取出口から長尺な布帛を取り出す布帛取出装置であって、取出口から引き出される布帛からの水分の落下を抑えることができる布帛取出装置を提供することを課題とする。
【課題を解決するための手段】
【０００８】
本発明の布帛取出装置は、
長尺な布帛を処理液によって処理する布帛処理装置において斜め上方に向けて開口する取出口から前記布帛を取り出す布帛取出装置であって、
前記取出口において該取出口から引き出される前記布帛が下側から巻き掛けられて該布帛の搬送方向を変更する第一ローラと、
互いの回転軸が平行な状態で前記第一ローラより上方に配置され且つ該第一ローラからの前記布帛が巻き掛けられる第二ローラと、を備え、
前記第一ローラは、前記第二ローラとの間に架け渡される前記布帛に沿った該第二ローラとの共通接線への接点の真下への投影位置が前記取出口の内側となる位置に配置され、
前記第二ローラは、前記第一ローラとの間に架け渡される前記布帛の水平面に対する角度が４５°より大きくなる位置に配置される。
【０００９】
かかる構成によれば、第一ローラと第二ローラとの間に架け渡される布帛の水平面に対する角度が４５°より大きいため、取出口から取り出される（引き出される）ときに布帛と共に出てきた水分（処理液や水等）が、布帛の第一ローラと第二ローラとの間に架け渡された部位を伝って取出口側に流れ落ちるため、第一ローラと第二ローラとの間で布帛から下方の作業者等に向けて落下する水分の量が抑えられる。
【００１０】
しかも、第一ローラにおける前記共通接線との接点位置（即ち、第一ローラから第二ローラに向かう布帛が該第一ローラから離間する位置：図３の離間位置Ｐ３参照）の真下への投影位置が取出口の内側であるため、布帛の第一ローラと第二ローラとの間に架け渡された部位を伝って流れ落ちてきた水分が、前記離間する位置で下方に落下して取出口内に入るため、取出口の外にこぼれ難い。
る。
【００１１】
前記布帛取出装置では、
前記第二ローラと共に前記布帛を挟み込む第三ローラを備えてもよい。
【００１２】
かかる構成によれば、取出口から取り出された布帛が第二ローラと第三ローラとに挟み込まれることで（即ち、絞られることで）、表面に付着した水分や内部に含んでいた水分が除去されて布帛が軽くなる。これにより、その後の布帛の運搬等が容易になる。
【００１３】
この場合、前記布帛取出装置は、
前記第二ローラ及び前記第三ローラの少なくとも一方を駆動する駆動部を備え、
前記第二ローラと前記第三ローラとは、前記布帛を挟み込んだ状態で前記駆動されることで該布帛を前記取出口から引き出すことが好ましい。
【００１４】
このように、布帛の絞りを行う構成を、布帛を取出口から引き出す動力として用いる、即ち、布帛の絞りと布帛の取出口からの引き出しとを共通の構成によって行うことで、絞りを行う構成と、布帛を取出口から引き出すための構成と、を個別に配置した構成に比べ、布帛の傷みを抑えることができる。
【発明の効果】
【００１５】
以上より、本発明によれば、布帛処理装置の取出口から長尺な布帛を取り出す布帛取出装置であって、取出口から引き出される布帛からの水分の落下を抑えることができる布帛取出装置を提供することができる。
【図面の簡単な説明】
【００１６】
【図１】図１は、本実施形態に係る布帛処理装置の処理装置本体を説明するための模式図である。
【図２】図２は、前記布帛処理装置における布帛取出装置及びその周辺の構成を説明するための図である。
【図３】図３は、前記布帛取出装置におけるローラの引出位置を示す図である。
【図４】図４は、引出機の構成を説明するための図である。
【図５】図５は、他実施形態に係る布帛処理装置における布帛取出装置及びその周辺の構成を説明するための図である。
【図６】図６は、従来の液流式布帛処理装置を示す模式図である。
【発明を実施するための形態】
【００１７】
以下、本発明の一実施形態について、図１〜図４を参照しつつ説明する。
【００１８】
本実施形態の布帛取出装置は、図１及び図２に示すように、長尺な布帛Ｆｃを処理液Ｗ１によって処理する布帛処理装置１において斜め上方に向けて開口する取出口３５から布帛Ｆｃを取り出す装置である。本実施形態の布帛処理装置１は、ループ状にした布帛Ｆｃを内部で循環させつつ処理液Ｗ１等の中を通過させて染色や洗浄等の布帛処理を行う、いわゆる液流式布帛処理装置である。
【００１９】
具体的に、この布帛処理装置１は、布帛処理を行う処理装置本体２と、処理装置本体２から長尺な布帛Ｆｃを取り出す（引き出す）ための布帛取出装置６と、を備える。
【００２０】
処理装置本体２は、処理液Ｗ１を貯留可能な処理槽３と、処理槽３に接続される移送管４と、処理液Ｗ１を供給する供給系統５と、を備える。本実施形態の処理液Ｗ１は、染色液や洗浄液等の布帛Ｆｃを処理するための液体であり、布帛Ｆｃの処理内容に応じた成分を水等で希釈した液体である。
【００２１】
処理槽３は、水平方向に長い槽であり、長手方向の一端に入口部３１を有すると共に他端に出口部３２を有する。出口部３２は、処理液Ｗ１を吐出するノズル３３と、布帛Ｆｃを移送及び誘導するためのリール３４と、を有する。また、処理槽３は、長手方向の他端に設けられ且つ該処理槽３内から布帛Ｆｃを引き出し可能な取出口３５と、該取出口３５を開閉可能に閉塞する蓋３６と、を有する。本実施形態の処理槽３では、他端側の端部が斜め上方（例えば、水平面に対して３０°以上且つ４５°以下の角度）に向けて延び、取出口３５は、斜め上方（図１における左上方）に向けて開口する。
【００２２】
移送管４は、処理槽３の入口部３１と出口部３２とを繋ぐ管路である。即ち、移送管４は、両端が処理槽３に接続されることによって該処理槽３と共同して布帛Ｆｃが循環可能な循環経路を形成する。
【００２３】
供給系統５は、処理槽３の下部に接続されて該処理槽３から処理液Ｗ１を排出させる複数の排出部５１を有し、これら複数の排出部５１を通じて処理槽３から排出された処理液Ｗ１を出口部３２のノズル３３に供給する。各排出部５１は、処理液Ｗ１の排出量を調整可能なバルブ等を有する。
【００２４】
また、供給系統５は、処理槽３内の処理液Ｗ１をノズル３３に向けて送り出すポンプ５２と、処理液Ｗ１を加熱又は冷却可能な熱交換器５３と、を有し、熱交換（加熱又は冷却）した処理液Ｗ１をノズル３３に供給できる。
【００２５】
布帛取出装置６は、処理槽３の取出口３５に配置可能なローラ６１と、取出口３５から布帛Ｆｃを引き出す引出機６２と、引き出された布帛Ｆｃを所定の位置まで搬送するコンベア６３と、ローラ６１、引出機６２、及びコンベア６３等を支持する支持部６４と、を有する。
【００２６】
ローラ（第一ローラ）６１は、取出口３５から布帛Ｆｃが引き出されるときに、該布帛Ｆｃが下側から巻き掛けられて該布帛Ｆｃの搬送方向を変更する。具体的に、ローラ６１は、処理槽３の取出口３５から引き出される布帛Ｆｃ（詳しくは、リール３４からの布帛Ｆｃ：図２参照）を引出機６２に向かうように搬送方向（移動方向）を変更する。
【００２７】
このローラ６１は、布帛Ｆｃを取出口３５から引き出すときの位置である引出位置Ｐ１（図２において実線で示す位置）と、処理槽３の蓋３６を開閉するときに該蓋３６に接触しない位置である退避位置Ｐ２（図２において二点鎖線で示す位置）と、の間で位置変更可能に支持部６４に支持されている。本実施形態のローラ６１は、アーム６５を介して支持部６４に接続され、アーム６５の一方の端部を回動軸Ｃ０にして回動することによって位置を変更する。
【００２８】
引出位置Ｐ１は、蓋３６が開いた状態の処理槽３の取出口３５近傍の位置である。詳しくは、引出位置Ｐ１は、布帛Ｆｃを処理槽３から取り出すときに、ローラ６１から引出機６２に向かう布帛Ｆｃが該ローラ６１から離間する位置である離間位置Ｐ３の真下への投影位置Ｐ４が処理槽３の取出口３５の内側（図３のαで示す範囲の内側）となる位置である。より詳しくは、引出位置Ｐ１は、引出機６２（詳しくは、下側ローラ６２１）との間に架け渡される布帛Ｆｃに沿った該下側ローラ６２１との共通接線Ｃｔとの接点Ｐ３の真下への投影位置Ｐ４が取出口３５の内側となる位置である。
【００２９】
引出機６２は、図４にも示すように、一対のローラ６２１、６２２を有し、これら一対のローラ６２１、６２２が布帛Ｆｃを挟み込んだ状態で回転することにより、該布帛Ｆｃを取出口３５から引き出す（取り出す）。具体的に、引出機６２は、互いの回転軸Ｃ２、Ｃ３が平行な状態で上下に配置される一対のローラ（下側ローラ６２１、上側ローラ６２２）と、これら一対のローラ６２１、６２２の少なくとも一方を駆動する駆動部６２３と、を有する。本実施形態の駆動部６２３は、上側ローラ６２２を回転駆動する。この引出機６２は、ローラ６１との間に架け渡される布帛Ｆｃの水平面に対する角度β（図３参照）が４５°より大きくなる位置に配置されている。
【００３０】
下側ローラ（第二ローラ）６２１は、互いの回転軸Ｃ１、Ｃ２が平行な状態で、引出位置Ｐ１のローラ６１より上方に配置される。この下側ローラ６２１は、回転軸Ｃ２周りに回転自在に配置されている。
【００３１】
上側ローラ（第三ローラ）６２２は、下側ローラ６２１と回転軸Ｃ２、Ｃ３が互いに平行となるように配置され、下側ローラ６２１との間に布帛Ｆｃを挟み込んだ状態で回転する。本実施形態の上側ローラ６２２は、上下動可能に構成され、下側ローラ６２１との間に布帛Ｆｃを挟み込んだときにスプリング等の付勢部材６２４によって下側ローラ６２１に向けて付勢される。即ち、引出機６２は、上側ローラ６２２を下側ローラ６２１に向けて付勢する付勢部材６２４を有する。これにより、下側ローラ６２１と上側ローラ６２２とが布帛Ｆｃを適度な力で挟み込むことができ、この状態で上側ローラ６２２が駆動部６２３によって回転駆動されることで、取出口３５から布帛Ｆｃを確実に引き出すと共に、布帛Ｆｃの表面や内部に含まれる水分を絞ることができる。
【００３２】
以上のように構成される布帛処理装置１では、布帛処理が行われる際、長尺な布帛Ｆｃが処理槽３及び移送管４に挿通され、その両端が連結される。これにより、布帛Ｆｃは、処理槽３及び移送管４によって形成される循環経路を循環可能なループ状となる。このとき、布帛Ｆｃは、処理槽３の出口部３２においてリール３４に掛けられている。
【００３３】
この状態で、処理槽３の出口部３２では、リール３４が処理液Ｗ１中の布帛Ｆｃを引き上げつつノズル３３がリール３４から垂れ下がる布帛Ｆｃに向けて処理液Ｗ１を吐出することで、処理槽３内の布帛Ｆｃが順々に移送管４に送り込まれる。
【００３４】
また、処理装置本体２の移送管４では、該移送管４における処理液Ｗ１の流れ（ノズル３３から吐出されることで生じた処理液Ｗ１の流れ）によって、移送管４内の布帛Ｆｃが順々に処理槽３の入口部３１に送り込まれる。このとき、処理槽３では、所定の液位（液面位置）が保たれているため、布帛Ｆｃが処理槽３内の処理液Ｗ１中を浮遊しつつ、処理槽３の下流側（出口部３２側）に移送される。これにより、処理装置本体２では、処理槽３及び移送管４によって構成される循環経路内をループ状の布帛Ｆｃが循環する。そして、この循環において、布帛Ｆｃが処理槽３内の処理液Ｗ１中を滞留しつつ通過することで、染色や洗浄等の布帛処理が行われる。
【００３５】
布帛処理装置１（処理装置本体２）において布帛処理が終了すると、処理槽３の蓋３６が開けられ、布帛取出装置６によって、布帛Ｆｃが取出口３５から取り出され、コンベア６３によって布運搬用台車７まで搬送される（図２参照）。
【００３６】
この布帛Ｆｃの処理槽３からの取り出し（引き出し）のときに、処理槽３の取出口３５から引き出される布帛Ｆｃが、退避位置Ｐ２から引出位置Ｐ１に位置変更した状態のローラ６１に下側から巻き掛けられた状態で斜め上方（引出機６２の方向）に引き上げられる。このため、引き出される布帛Ｆｃがローラ６１と接する位置において絞られ、布帛Ｆｃの表面に付着している水分（処理液Ｗ１や水Ｗ２等）の多くが落下し（除去され）、取出口３５から処理槽３内に戻る。
【００３７】
このローラ６１によって絞りきれなかった（除去できなかった）布帛Ｆｃ表面の水分や内部に含まれる水分（処理槽３の取出口３５から引き出されるときに処理槽３から布帛Ｆｃと共に出てきた水分）は、ローラ６１と引出機６２との間の布帛Ｆｃの水平面に対する角度βが４５°より大きいため、布帛Ｆｃにおけるローラ６１と引出機６２（下側ローラ６２１）との間に架け渡された部位を伝って取出口３５側に流れ落ちる。これにより、布帛Ｆｃの処理槽３からの取り出しの際に、ローラ６１と引出機６２（下側ローラ６２１）との間で布帛Ｆｃから下方で作業する作業者等に向けて落下する水分の量が抑えられる。
【００３８】
また、引出機６２の一対のローラ６２１、６２２によって布帛Ｆｃから絞り出された水分も、ローラ６１と引出機６２との間の布帛Ｆｃを伝って取出口３５側に流れ落ち、ローラ６１と引出機６２（下側ローラ６２１）との間で布帛Ｆｃから下方で作業する作業者等に向けて落下する水分の量が抑えられる。
【００３９】
しかも、本実施形態の布帛取出装置６では、ローラ６１における下側ローラ６２１との共通接線Ｃｔとの接点（離間位置）Ｐ３（即ち、ローラ６１から下側ローラ６２１に向かう布帛Ｆｃが該ローラ６１から離間する位置）の真下への投影位置Ｐ４が取出口３５の内側である（図３参照）。このため、布帛Ｆｃにおけるローラ６１と下側ローラ６２１（引出機６２）との間に架け渡された部位を伝って戻ってきた水分は、前記離間位置Ｐ３で下方に落下して取出口３５から処理槽３内に入り、取出口３５の外にこぼれ難い。
【００４０】
また、布帛取出装置６の引出機６２は、下側ローラ６２１と共に布帛Ｆｃを挟み込む上側ローラ６２２を有している。このため、取出口３５から引き出された布帛Ｆｃが引出機６２を通過する際に、下側ローラ６２１と上側ローラ６２２とに挟み込まれることで（即ち、絞られることで）、含んでいた水分が除去され、軽くなる。これにより、その後の布帛Ｆｃの運搬等が容易になる。
【００４１】
また、布帛取出装置６では、布帛Ｆｃの絞りを行う構成を布帛Ｆｃを取出口から引き出す動力として用いる、即ち、布帛Ｆｃの絞りと布帛Ｆｃの取出口３５からの引き出しとを共通の構成（引出機６２）によって行っているため、絞りを行う構成と、布帛Ｆｃを取出口３５から引き出すための構成と、を個別に配置した構成に比べ、布帛Ｆｃの損傷を防ぐことができる（即ち、布帛Ｆｃが傷みにくい）。
【００４２】
尚、本発明の布帛取出装置は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００４３】
布帛Ｆｃの引き出し方向は、限定されない。上記実施形態の布帛処理装置１では、布帛Ｆｃを処理槽３の取出口３５側に引き出しているが、例えば、図５に示すように、処理槽３の入口部３１側（取出口３５と反対の端部側）に引き出してもよい。この場合でも、ローラ６１と引出機６２との間の布帛Ｆｃの水平面に対する角度βが４５°より大きければよい。
【００４４】
上記実施形態の布帛処理装置１では、処理装置本体２は、いわゆる液流式布帛処理装置であるが、この構成に限定されない。処理装置本体２は、処理液Ｗ１等によって長尺な布帛Ｆｃを処理すると共に布帛Ｆｃの取出口３５が斜め上方に向けて開口する装置であればよい。
【００４５】
上記実施形態の布帛処理装置１では、処理槽３の取出口３５に配置されたローラ６１から送られた布帛Ｆｃが一対のローラ６２１、６２２に挟み込まれているが、この構成に限定されない。布帛取出装置６の引出機６２の配置されている位置において、下側ローラ６２１が配置され、且つ上側ローラ６２２のない構成であってもよい。即ち、引出機６２の代わりに、互いの回転軸Ｃ１、Ｃ２が平行な状態でローラ６１より上方に配置され且つ該ローラ６１からの布帛Ｆｃが巻き掛けられる下側ローラ（第二ローラ）６２１が配置されていてもよい。この場合も、下側ローラ６２１は、ローラ６１との間に架け渡される布帛Ｆｃの水平面に対する角度が４５°より大きくなる位置に配置される。
【００４６】
かかる構成によっても、取出口３５から取り出される（引き出される）ときに布帛Ｆｃと共に出てきた水分（処理液や水等）が、布帛Ｆｃのローラ６１と下側ローラ６２１との間に架け渡された部位を伝って取出口３５側に流れ落ちるため、ローラ６１と下側ローラ６２１との間で布帛Ｆｃから下方の作業者等に向けて落下する水分の量が抑えられる。
【００４７】
上記実施形態の布帛取出装置６では、ローラ６１は、引出位置Ｐ１において取出口３５より外側に位置しているが、この構成に限定されない。ローラ６１は、引出位置Ｐ１において、その一部又は全部を取出口３５（開口縁）より処理槽３の内部側に位置させてもよい。かかる構成によれば、ローラ（第一ローラ）６１と引出機６２（下側ローラ（第二ローラ）６２１）との間の布帛Ｆｃを伝って流れ落ちてきた水分は、より確実に取出口３５から処理槽３内に流れ込むため、処理槽３の外側への水分の落下や飛散をより確実に抑えることができる。
【符号の説明】
【００４８】
１…布帛処理装置、２…処理装置本体、３…処理槽、３１…入口部、３２…出口部、３３…ノズル、３４…リール、３５…取出口、３６…蓋、４…移送管、５…供給系統、５１…排出部、５２…ポンプ、５３…熱交換器、６…布帛取出装置、６１…ローラ（第一ローラ）、６２…引出機、６２１…下側ローラ（第二ローラ）、６２２…上側ローラ（第三ローラ）、６２３…駆動部、６２４…付勢部材、６３…コンベア、６４…支持部、６５…アーム、７…布運搬用台車、９００…液流式布帛処理装置、９０１…処理槽、９０１ａ…取出口、９０２…移送管、９１０…布帛、Ｃ０…回動軸、Ｃ１、Ｃ２、Ｃ３…回転軸、Ｃｔ…共通接線、Ｆｃ…布帛、Ｐ１…引出位置、Ｐ２…退避位置、Ｐ３…接点（離間位置）、Ｐ４…投影位置、Ｒ１…ローラ、Ｗ１、Ｗ１０…処理液、Ｗ２、Ｗ２０…水、α…取出口の範囲、β…布帛の水平面に対する角度
【図１】
0006913136.tif 000002
【図２】
0006913136.tif 000003
【図３】
0006913136.tif 000004
【図４】
0006913136.tif 000005
【図５】
0006913136.tif 000006
【図６】
0006913136.tif 000007